(57)【要約】【課題】  既存擁壁の補強構造を提供する。【解決手段】  補強する既存擁壁の背面側にガイド用Ｈ型鋼を立設した親杭を複数本並列して打ち込み、該既存擁壁の背面側の土を除いて前記親杭の杭頭位置を調整し、該親杭の杭頭上にガイド用Ｈ型鋼が芯材となる支持用支柱により支持された埋め込み擁壁を設置して既存擁壁の背面内部側に既存擁壁と重複する擁壁を構築し、該埋め込み擁壁の天端部には前記各支持用支柱間を頭繋ぎする構成のアンカーウェイト部材を設け、該アンカーウェイト部材のＬ型縁部にて前記既存擁壁の上部廻り縁部を冠着した。【選択図】図４
2012026250.tif 000002
【特許請求の範囲】
【請求項１】
補強する既存擁壁の背面側にガイド用Ｈ型鋼を立設した親杭を複数本並列して打ち込み、該既存擁壁の背面側の土を除いて前記親杭の杭頭位置を調整し、該親杭の杭頭上にガイド用Ｈ型鋼が芯材となる支持用支柱により支持された埋め込み擁壁を設置して既存擁壁の背面内部側に既存擁壁と重複する擁壁を構築し、該埋め込み擁壁の天端部には前記各支持用支柱間を頭繋ぎする構成のアンカーウェイト部材を設け、該アンカーウェイト部材のＬ型縁部にて前記既存擁壁の上部廻り縁部を冠着したことを特徴とする既存擁壁の補強構造。
【請求項２】
撤去する上部既存擁壁及び補強する下部既存擁壁の背面側にガイド用Ｈ型鋼を立設した親杭を複数本並列して打ち込み、該上部既存擁壁と下部既存擁壁の背面側の土を除いて前記親杭の杭頭位置を調整し、該親杭の杭頭上にガイド用Ｈ型鋼が芯材となる支持用支柱により支持された埋め込み擁壁を構築し、該埋め込み擁壁の天端部には前記各支持用支柱間を頭繋ぎする構成のアンカーウェイト部材を設け、該アンカーウェイト部材のＬ型縁部にて前記下部既存擁壁の上部廻る縁部を冠着すると共に、該アンカーウェイト部材の上面にはガイド用Ｈ型鋼が芯材となる支柱により支持される埋め込み擁壁を再度積層して前記撤去された上部擁壁の高さを補い、且つ撤去擁壁の代わりとなる立上がり壁を設けたことを特徴とする既存擁壁の補強構造。
【請求項３】
前記埋め込み擁壁を構成する長方形の擁壁ＰＣ板は中央裏面に親杭の杭頭上に立設されたガイド用Ｈ型鋼がゆとりをもって挿入できる貫通穴を有し、該貫通穴の内部はその中心部に向かって四方から狭まる形状を有しており、前記埋め込み擁壁ＰＣ板を親杭の杭頭上やアンカーウェイト部材上部に積層した状態で前記貫通穴へ上部からコンクリートを打設すると貫通穴内にはガイド用Ｈ型鋼が芯材となる埋め込み擁壁の支持用支柱が構成されることを特徴とする請求項１または請求項２に記載の既存擁壁の補強構造。
【請求項４】
前記埋め込み擁壁を構成する長方形の擁壁ＰＣ板は中央裏面に親杭の杭頭上に立設されたガイド用鉄筋柱がゆとりをもって挿入できる貫通穴を有し、該貫通穴の内部はその中心部に向かって四方から狭まる形状を有しており、前記埋め込み擁壁ＰＣ板を親杭の杭頭上やアンカーウェイト部材上部に積層した状態で前記貫通穴へ上部からコンクリートを打設すると貫通穴内にはガイド用鉄筋材が芯材となる埋め込み擁壁の支持用支柱が構成されることを特徴とする請求項１または請求項２に記載の既存擁壁の補強構造。
【請求項５】
前記埋め込み擁壁を構成する長方形の擁壁ＰＣ板は中央裏面に親杭基部に連通する貫通穴を有し、該貫通穴の内部はその中心部に向かって四方から狭まる形状を有しており、前記埋め込み擁壁ＰＣ板を親杭の杭頭上やアンカーウェイト部材上部に積層した状態で前記貫通穴へ上部からコンクリートを打設すると貫通穴内には埋め込み擁壁の支持用支柱が構成されることを特徴とする請求項１または請求項２に記載の既存擁壁の補強構造。
【請求項６】
補強する既存擁壁の背面側にガイド用Ｈ型鋼を立設した親杭を複数本並列して打ち込み、該既存擁壁の背面側の土を除いて前記親杭の杭頭位置を調整し、該親杭の杭頭上にガイド用Ｈ型鋼が芯材となる支持用支柱により支持された埋め込み擁壁を設置して既存擁壁の背面内部側に既存擁壁と重複する擁壁を構築し、該埋め込み擁壁の天端部には前記各支持用支柱間を頭繋ぎする構成のアンカーウェイト部材を設け、該アンカーウェイト部材のＬ型縁部にて前記既存擁壁の上部廻り縁部を冠着したことを特徴とする既存擁壁の補強工法。
【請求項７】
撤去する上部既存擁壁及び補強する下部既存擁壁の背面側にガイド用Ｈ型鋼を立設した親杭を複数本並列して打ち込み、該上部既存擁壁と下部既存擁壁の背面側の土を除いて前記親杭の杭頭位置を調整し、該親杭の杭頭上にガイド用Ｈ型鋼が芯材となる支持用支柱により支持された埋め込み擁壁を構築し、該埋め込み擁壁の天端部には前記各支柱間を頭繋ぎする構成のアンカーウェイト部材を設け、該アンカーウェイト部材のＬ型縁部にて前記下部既存擁壁の上部廻る縁部を冠着すると共に、該アンカーウェイト部材の上面にはガイド用Ｈ型鋼が芯材となる支持用支柱により支持される埋め込み擁壁を再度積層して前記撤去された上部擁壁の高さを補い、且つ撤去擁壁の代わりとなる立上がり壁を設けたことを特徴とする既存擁壁の補強工法。
【発明の詳細な説明】
【技術分野】
【０００１】  本発明は、傾斜地に設けられた擁壁の補強構造、及び擁壁の補強工法に関するものである。
【背景技術】
【０００２】  狭隘な地域の宅地造成地等に於いては、傾斜地が崩れないようにモルタルやコンクリートを固定材に用いて、石またはコンクリートブロックを積み上げる練り積み擁壁や、地山もしくは裏込め土にもたれた状態で擁壁の自重により土圧に対抗するもたれ擁壁が一般的に用いられている。【０００３】  特に宅地造成ブーム時に設けられた住宅地の擁壁は、構築後２０年から３０年以上経っているものも珍しくなく、当時に構築された擁壁は、古くなって擁壁材の石やコンクリートブロックを固定するためのモルタルやコンクリート等固定材の劣化や、裏込め土の流失により地山と裏込め土の土圧がバランスを失い、放っておくと擁壁の崩壊につながりかねない災害危険地区を生み出している。【０００４】  例えば、図７は、従来の宅地造成地に良く見られる古いもたれ擁壁の実例を示す要部断面斜視図である。図７において、５０は道路、５１は擁壁、５２ａ、５２ｂ、５２ｃ、・・・は大矢石やコンクリートブロック等からなる擁壁ブロックであり、該擁壁ブロック５２ａ、５２ｂ、５２ｃ、・・・は基台５３上に裏込め土５４、裏込め石５５、そして、裏込めコンクリート５６を介して積層されており、宅地５７を造成している。尚、５８は決められた間隔を有して設けられた水抜き穴、５９は擁壁５１の天端を示している。【０００５】  斯くして、上述した擁壁５１は、経年変化により裏込めコンクリート５６が劣化したり、宅地５７を構成する地山と裏込め土５４との土圧がバランスを失うことで、集中豪雨や地震のときに擁壁の崩壊が起きるおそれがあるので、定期的なメンテナンスや補強工事が必要となる。【０００６】  また、図８は、比較的高さのある傾斜地の宅地造成地に見られる古い擁壁の実例を示す要部断面斜視図である。図８において、５０は道路、５１ａ、５１ｂは２段に積層された擁壁、６０は擁壁５１ａを構成する大矢石、６１は擁壁５１ｂを構成する間知石、６２は下部基台、６３は上部基台、５９は天端、５７は宅地であり、前記大矢石６０は、下部基台６２上に裏込め土５４、裏込め石５５、そして、裏込めコンクリート５６を介して積層されており、また、間知石６１は、上部基台６３上に裏込め土５４、裏込め石５５、裏込めコンクリート５６を介して積層されており、上部に宅地５７を造成している。尚、５８は、決められた間隔を有して設けられた水抜き穴をしめしている。【０００７】  図８は、もたれ擁壁工法を用いて、下部基台６２上に大矢石６０を積み上げて擁壁５１ａを設け、更に擁壁の高さを付加するために上部基台６３上に間知石６１を積層して擁壁５１ｂを構築している。【０００８】  従って、図８に示す古い擁壁の実例においても、擁壁内部構造は見えないが、経年変化により確実に裏込めコンクリート５６が劣化したり、宅地５６を構成する地山と裏込め土５４との土圧がバランスを失う現象が生じており、集中豪雨や地震のときに擁壁の崩壊が起きるおそれがある。特に高い傾斜地に設けられた擁壁の崩壊は、破壊時のダメージも大きいので、下部擁壁の補強工事や、補強された上部擁壁の新構築が必要である。【０００９】  斯くして、本発明は、図７、及び図８にて説明した施工形式の古い擁壁を補強するものであり、一部に古い擁壁を撤��して新しい擁壁を構築する場合において、新擁壁の補強バックアップ工事をも含むものである。
【発明の概要】
【発明が解決しようとする課題】
【００１０】  本発明が解決しようとする課題は、狭隘な宅地造成地における擁壁の補強工事において、土の移動量を少なくなくして効率化を図り、また、既存擁壁の背面のみを工事区域として杭打ちや掘削するもので、例えば、擁壁前面の道路等は、資材の搬入、荷降ろしのみに使用する他は使用せず、当該補強工事は擁壁の背面側、即ち、宅地内での工事により施工が行える擁壁の補強工事を提供するものである。
【課題を解決するための手段】
【００１１】  本発明は、補強する既存擁壁の背面側にガイド用Ｈ型鋼を立設した親杭を複数本並列して打ち込み、該既存擁壁の背面側の土を除いて前記親杭の杭頭位置を調整し、該親杭の杭頭上にガイド用Ｈ型鋼が芯材となる支柱により支持された埋め込み擁壁を設置して既存擁壁の背面内部側に既存擁壁と重複する擁壁を構築するものである。【００１２】  そして、前記埋め込み擁壁の天端部には各支柱間を頭繋ぎする構成のアンカーウェイト部材を設け、該アンカーウェイト部材のＬ型縁部にて前記既存擁壁の上部廻り縁部を冠着することで既存擁壁の補強を行うものである。【００１３】  また、本発明は、撤去する上部既存擁壁、及び補強する下部既存擁壁の背面側にガイド用Ｈ型鋼を立設した親杭を複数本並列して打ち込み、該上部既存擁壁と下部既存擁壁の背面側の土を除いて前記親杭の杭頭位置を調整し、該親杭の杭頭上にガイド用Ｈ型鋼が芯材となる支柱により支持された埋め込み擁壁を構築し、該埋め込み擁壁の天端部には前記各支柱間を頭繋ぎする構成のアンカーウェイト部材を設けるものである。【００１４】  そして、前記アンカーウェイト部材のＬ型縁部にて下部既存擁壁の上部廻る縁部を冠着することで既存擁壁の補強を行うもので、同時に、該アンカーウェイト部材の上面にはガイド用Ｈ型鋼が芯材となる支柱により支持される埋め込み擁壁を再度積層して前記撤去された上部擁壁の高さを補い、且つ撤去擁壁の代わりとなる立上がり壁を設けた構造の擁壁擁壁を提供するもので、下部既存擁壁、及び撤去擁壁の代わりとなる立上がり壁の背面内部側には、埋め込み擁壁が新たに重複した形状で設けられ、既存擁壁、並びに立上がり壁を土圧から擁護するものである。【００１５】  本発明の構成要素で重要な埋め込み擁壁を構成する長方形の擁壁ＰＣ板は、中央裏面に親杭の杭頭上に立設されたガイド用Ｈ型鋼がゆとりをもって挿入できる貫通穴を有し、該貫通穴の内部はその中心部に向かって四方から狭まる形状を有しており、前記埋め込み擁壁ＰＣ板を親杭の杭頭上やアンカーウェイト部材上部に積層した状態で前記貫通穴へ上部からコンクリートを打設すると貫通穴内にはガイド用Ｈ型鋼が芯材となる埋め込み擁壁の支持用支柱が構成されることである。【００１６】  また、本発明の構成要素で重要な埋め込み擁壁を構成する長方形の擁壁ＰＣ板は、中央裏面に親杭の杭頭上に立設されたガイド用鉄筋柱がゆとりをもって挿入できる貫通穴を有し、該貫通穴の内部はその中心部に向かって四方から狭まる形状を有しており、前記埋め込み擁壁ＰＣ板を親杭の杭頭上やアンカーウェイト部材上部に積層した状態で前記貫通穴へ上部からコンクリートを打設すると貫通穴内にはガイド用鉄筋材が芯材となる埋め込み擁壁の支持用支柱が構成されることである。【００１７】  更に、本発明の構成要素で重要な埋め込み擁壁を構成する長方形の擁壁ＰＣ板は、中央裏面に親杭基部に連通する貫通穴を有し、該貫通穴の内部はその中心部に向かって四方から狭まる形状を有しており、前記埋め込み擁壁ＰＣ板を親杭の杭頭上やアンカーウェイト部材上部に積層した状態で前記貫通穴へ上部からコンクリートを打設すると貫通穴内には埋め込み擁壁の支持用支柱が構成される事である。【００１８】  ��って、本発明は、上述した既存擁壁、並びに新しく設けられる立上がり壁と、埋め込み擁壁、そして埋め込み擁壁を支持固定する支持用支柱の組み合わせが、課題を解決かのうとした。【００１９】  本発明の工法は、補強する既存擁壁の背面側にガイド用Ｈ型鋼を立設した親杭を複数本並列して打ち込み、該既存擁壁の背面側の土を除いて前記親杭の杭頭位置を調整し、該親杭の杭頭上にガイド用Ｈ型鋼が芯材となる支柱により支持された埋め込み擁壁を設置して既存擁壁の背面内部側に既存擁壁と重複する擁壁を構築し、該埋め込み擁壁の天端部には前記各支柱間を頭繋ぎする構成のアンカーウェイト部材を設け、該アンカーウェイト部材のＬ型縁部にて前記既存擁壁の上部廻り縁部を冠着することで、既存擁壁の補強を行うものである。【００２０】  そして、本発明は、他の工法として、撤去する上部既存擁壁及び補強する下部既存擁壁の背面側にガイド用Ｈ型鋼を立設した親杭を複数本並列して打ち込み、該上部既存擁壁と下部既存擁壁の背面側の土を除いて前記親杭の杭頭位置を調整し、該親杭の杭頭上にガイド用Ｈ型鋼が芯材となる支柱により支持された埋め込み擁壁を構築し、該埋め込み擁壁の天端部には前記各支柱間を頭繋ぎする構成のアンカーウェイト部材を設け、該アンカーウェイト部材のＬ型縁部にて前記下部既存擁壁の上部廻る縁部を冠着すると共に、該アンカーウェイト部材の上面にはガイド用Ｈ型鋼が芯材となる支柱により支持される埋め込み擁壁を再度積層して前記撤去された上部擁壁の高さを補い、且つ撤去擁壁の代わりとなる立上がり壁を設ける工法をも提供した。
【発明の効果】
【００２１】  斯くして、本発明は、狭隘な宅地造成地における擁壁の補強工事において、土の移動量を少なくなくして効率化を図り、安価で迅速な工事が行える。また、本発明は、既存擁壁の背面のみを工事区域として杭打ちや掘削するもので、擁壁前面の道路等は、資材の搬入、荷降ろしのみに使用する他は、使用する必要がなく、当該補強工事は擁壁の背面側、即ち、宅地内での工事により施工が行えるもので、特に狭隘な宅地造成地等において抜群の効果を発揮できるものである。【００２２】  更に、本発明は、既存擁壁や新しく構築する立上がり壁が本来受ける土圧を、当該擁壁前面に設ける埋め込み擁壁にて全面的に受ける構成であることから、古い擁壁の保護や新しく構築する立上がり壁を土圧から擁護できる擁壁補強構造となった。【００２３】  更にまた、本発明の擁壁補強方法は既存擁壁の前面に手を加えるものではなく、文化財的価値のある石垣等の補強工事にも使用可能である。
【図面の簡単な説明】
【００２４】
【図１】（Ａ）本発明に使用される埋め込み用擁壁ＰＣ板の形状を示す平面図である。
【図１】（Ｂ）本発明に使用される埋め込み用擁壁ＰＣ板の形状を示す正面図である。
【図２】  図１に示す埋め込み用擁壁ＰＣ板の支持方法を示す斜視説明図である。
【図３】（Ａ）本発明の実施例１を示す施工手順説明図である。
【図３】（Ｂ）本発明の実施例１を示す施工手順説明図である。
【図４】  本発明の実施例１を説明する断面図である。
【図５】（Ａ）本発明の実施例２を示す施工手順説明図である。
【図５】（Ｂ）本発明の実施例２を示す施工手順説明図である。
【図５】（Ｃ）本発明の実施例２を示す施工手順説明図である。
【図５】（Ｄ）本発明の実施例２を示す施工手順説明図である。
【図５】（Ｅ）本発明の実施例２を示す施工手順説明図である。
【図５】（Ｆ）本発明の実施例２を示す施工手順説明図である。
【図５】（Ｇ）本発明の実施例２を示す施工手順説明図である。
【図６】  本発明の実施例２を説明する要部断面斜視図である。
【図７】  本発明にて補強する既存擁壁の形状例を示す説明図である。
【図８】  本発明にて補強する既存擁壁の形状例を示す他の説明図である。
【発明を実施するための形態】
【００２５】  本発明に使用される埋め込み擁壁の形状と該擁壁の支持用支柱の固定方法は、本発明の構成要素で極めて重要で、該埋め込み擁壁を構成する長方形の擁壁ＰＣ板は、中央裏面に親杭の杭頭上に立設されたガイド用Ｈ型鋼がゆとりをもって挿入できる貫通穴を有し、該貫通穴の内部はその中心部に向かって四方から狭まる形状を有しており、前記埋め込み擁壁ＰＣ板を親杭の杭頭上やアンカーウェイト部材上部に積層した状態で前記貫通穴へ上部からコンクリートを打設すると貫通穴内にはガイド用Ｈ型鋼が芯材となる埋め込み擁壁の支持用支柱が構成されることである。
【００２６】  また、本発明の埋め込み擁壁を構成する長方形の擁壁ＰＣ板は、中央裏面に親杭の杭頭上に立設されたガイド用鉄筋柱がゆとりをもって挿入できる貫通穴を有し、該貫通穴の内部はその中心部に向かって四方から狭まる形状を有しており、前記埋め込み擁壁ＰＣ板を親杭の杭頭上やアンカーウェイト部材上部に積層した状態で前記貫通穴へ上部からコンクリートを打設すると貫通穴内にはガイド用鉄筋材が芯材となる埋め込み擁壁の支持用支柱が構成されるようにしても良い。
【００２７】  更に、本発明の埋め込み擁壁を構成する長方形の擁壁ＰＣ板は、中央裏面に親杭基部に連通する貫通穴を有し、該貫通穴の内部はその中心部に向かって四方から狭まる形状を有しており、前記埋め込み擁壁ＰＣ板を親杭の杭頭上やアンカーウェイト部材上部に積層した状態で前記貫通穴へ上部からコンクリートを打設すると貫通穴内には埋め込み擁壁の支持用支柱が構成されるようにしても良い。
【００２８】  斯くして、本発明は、上記埋め込み擁壁を構成する長方形の擁壁ＰＣ板と該擁壁ＰＣ板を支持する親杭と支柱によりなり、補強する既存擁壁の背面側に前記ガイド用Ｈ型鋼を立設した親杭を複数本並列して打ち込み、該既存擁壁の背面側の土を除いて前記親杭の杭頭位置を調整し、該親杭の杭頭上にガイド用Ｈ型鋼が芯材となる支柱により支持された埋め込み擁壁（擁壁ＰＣ板）を設置して既存擁壁の背面内部側に既存擁壁と重複する擁壁を構築するものである。
【００２９】  そして、前記埋め込み擁壁の天端部には各支柱間を頭繋ぎする構成のアンカーウェイト部材を設け、該アンカーウェイト部材のＬ型縁部にて前記既存擁壁の上部廻り縁部を冠着することで既存擁壁の補強を行うものである。
【００３０】  また、本発明は、撤去する上部既存擁壁、及び補強する下部既存擁壁の背面側にガイド用Ｈ型鋼を立設した親杭を複数本並列して打ち込み、該上部既存擁壁と下部既存擁壁の背面側の土を除いて前記親杭の杭頭位置を調整し、該親杭の杭頭上にガイド用Ｈ型鋼が芯材となる支柱により支持された埋め込み擁壁（擁壁ＰＣ板）を構築し、該埋め込み擁壁の天端部には前記各支柱間を頭繋ぎする構成のアンカーウェイト部材を設けるものである。
【００３１】  そして、前記アンカーウェイト部材のＬ型縁部にて下部既存擁壁の上部廻る縁部を冠着することで既存擁壁の補強を行うもので、同時に、該アンカーウェイト部材の上面にはガイド用Ｈ型鋼が芯材となる支柱により支持される埋め込み擁壁を再度積層して前記撤去された上部擁壁の高さを補い、且つ撤去擁壁の代わりとなる立上がり壁を設けた構造の擁壁擁壁を提供するもので、下部既存擁壁、及び撤去擁壁の代わりとなる立上がり壁の背面内部側には、埋め込み擁壁が新たに重複した形状で設けられ、既存擁壁、並びに立上がり壁を土圧から擁護するものである。
【実施例１】
【００３２】  本発明の実施例１は、図７に於いて説明した既存擁壁５１を補強するものであり、図１乃至図４に於いて、図１（Ａ）は、本発明に使用される埋め込み用擁壁ＰＣ板の形状を示す平面図、図１（Ｂ）は、本発明に使用される埋め込み用擁壁ＰＣ板の形状を示す正面図、図２は、図１に示す埋め込み用擁壁ＰＣ板の支持方法を示す斜視説明図であり、図３（Ａ）、図３（Ｂ）、図４は、実施例１の施工手順説明図である。【００３３】  図１乃至図４に於いて、１は埋め込み擁壁を構成する擁壁ＰＣ板、２は擁壁ＰＣ板１の中央裏面に構成される支柱形成用の貫通穴、該貫通穴２の内部形状は、例えばその中心部に向かって四方から狭まるくの字形状３を有している。尚、４は擁壁ＰＣ板の製作時に使用される製作用デーハ、５は製作時に使用される施工用デーハ、６は擁壁ＰＣ板施工時に他の擁壁ＰＣ板との嵌合に使用されるガイドピン、７は水抜き穴を構成する水切用切り欠き部である。【００３４】  図２は、既存擁壁の背面側、即ち、宅地側の地中８に予め親杭９ａ、９ｂ、９ｃを並列して打設しておき、該親杭９ａ、９ｂ、９ｃにはガイド用Ｈ型鋼１０ａ、１０ｂ、１０ｃ立設されている。親杭９ａ、９ｂ、９ｃの杭頭１１ａ、１１ｂ、１１ｃは、その位置を場合によってはハツリ等で調整（主に高さ調整）し、上部に立設したガイド用Ｈ型鋼１０ａ、１０ｂ、１０ｃにガイドされて夫々貫通穴２ａ、２ｂ、２ｃを有した擁壁ＰＣ板１ａ、１ｂ、１ｃが設置される。【００３５】  而して、親杭９ａ、９ｂ、９ｃの杭頭１１ａ、１１ｂ、１１ｃ上に設置された夫々の擁壁１ａ、１ｂ、１ｃはガイド用Ｈ型鋼１０ａ、１０ｂ、１０ｃがゆとりを持って貫通している貫通穴２ａ、２ｂ、２ｃに夫々コンクリートを打設して、親杭９ａ、９ｂ、９ｃと擁壁１ａ、１ｂ、１ｃを固着支持する支持支柱１２ａ、１２ｂ、１２ｃを構成する。【００３６】  図３（Ａ）（Ｂ）、及び図４は、実施例１の施工手順を説明するもので、あり、また、図３（Ａ）（Ｂ）、図４は、従来例の説明図である図７の既存擁壁に本発明の実施例１を実施した状態を示している。【００３７】  図３（Ａ）（Ｂ）、及び図４の於いて、１は埋め込み擁壁を構成する擁壁ＰＣ板、２は貫通穴、５は施工用デーハ、１３は既存擁壁（大矢石等のブロックから成る）、１４は既存擁壁の下部基台、１５は道路面、１６は裏込めコンクリート、１７は天端、１８は宅地を夫々示している。【００３８】  図３（Ａ）は既存擁壁１３の背面にあたる宅地１８を掘削し、図２にて説明したように親杭９を打設して、ガイド用Ｈ型鋼１０を立設する。埋め込み擁壁を構成する擁壁ＰＣ板１は重機で楊重され、擁壁ＰＣ板１の貫通穴２にガイド用Ｈ型鋼１０が挿入して図３（Ｂ）に示す如く、親杭９の杭頭１１上に設置される。【００３９】  図４は、ガイド用Ｈ型鋼１０が貫通する擁壁ＰＣ板１の貫通穴２にコンクリートを打設して、擁壁ＰＣ板１を親杭９に固着一体化して、該擁壁ＰＣ板１上部にコ型のアンカーウェイト１９を鉄筋コンクリート製にて製作する。【００４０】  而して、コ型のアンカーウェイト１９は、前記埋め込み擁壁の擁壁ＰＣ板１ａ、１ｂ、１ｃ・・・の天端部を支持用支柱１２ａ、１２ｂ、１２ｃ・・・間で頭繋ぎする役割の他、該アンカーウェイト１９のＬ型縁部２０にて前記既存擁壁１３の上部廻り縁部２１を冠着することで既存擁壁１３の補強を行うものである。尚、２２は宅地１８の埋め戻し土である。【００４１】  斯くして、実施例１は、補強する既存擁壁１３の背面側にガイド用Ｈ型鋼１０を立設した親杭９を複数本並列して打ち込み、該既存擁壁１３の背面側の土を除いて前記親杭９の杭頭１１の位置を調整し、該親杭９の杭頭１１上にガイド用Ｈ型鋼１０が芯材となる支持用支柱１２により支持された埋め込み擁壁ＰＣ板１を設置して既存擁壁１３の背面内部側に既存擁壁１３と重複する擁壁を構築するものである。【００４２】  そして、前記埋め込み擁壁ＰＣ板１の天端部には各支持用支柱１２間を頭繋ぎする構成のアンカーウェイト１９部材を設け、該アンカーウェイト１９部材のＬ型縁部２０にて前記既存擁壁１３の上部廻り縁部２１を冠着することで既存擁壁１３の補強を行うもので、実施例１に於いては、アンカーウェイト１９による既存擁壁１３上部の冠着と、埋め込み擁壁ＰＣ板１での宅地１８の土圧擁護することで、既存擁壁１３の補強を行うものである。【００４３】  また、実施例１の埋め込み擁壁を構成する長方形の擁壁ＰＣ板１は、中央裏面に親杭９の杭頭１１上に立設されたガイド用鉄筋柱（ガイド用Ｈ型鋼１０に代わって）がゆとりをもって挿入できる貫通穴２を有し、該貫通穴２の内部はその中心部に向かって四方から狭まる形状を有しており、前記埋め込み擁壁ＰＣ板１を親杭９の杭頭１１上やアンカーウェイト１９部材上部に積層した状態で前記貫通穴２へ上部からコンクリートを打設すると貫通穴２内にはガイド用鉄筋材が芯材となる埋め込み擁壁の支持用支柱１２が構成されるようにしても良い。【００４４】  更に、実施例１の埋め込み擁壁を構成する長方形の擁壁ＰＣ板１は、中央裏面に親杭９基部に連通する貫通穴２を有し、該貫通穴２の内部はその中心部に向かって四方から狭まる形状を有しており、前記埋め込み擁壁ＰＣ板１を親杭９の杭頭１１上やアンカーウェイト１９部材上部に積層した状態で前記貫通穴２へ上部からコンクリートを打設すると貫通穴２内には埋め込み擁壁の支持用支柱１２が構成されるようにしても良い。【００４５】  更にまた、実施例１は、補強する既存擁壁１３の背面側にガイド用Ｈ型鋼１０を立設した親杭９を複数本並列して打ち込み、該既存擁壁１３の背面側の土を除いて前記親杭９の杭頭位置１１を調整し、該親杭９の杭頭１１上にガイド用Ｈ型鋼１０が芯材となる支持用支柱１２により支持された埋め込み擁壁ＰＣ板１を設置して既存擁壁１３の背面内部側に既存擁壁１３と重複する擁壁を構築し、該埋め込み擁壁ＰＣ板１の天端部には前記各支持用支柱１２間を頭繋ぎする構成のアンカーウェイト１９部材を設け、該アンカーウェイト１９部材のＬ型縁部２０にて前記既存擁壁１３の上部廻り縁部２１を冠着したことを特徴とする既存擁壁１３の補強工法を提供するものであるが、本実施例１に用いられる前記埋め込み擁壁を構成する擁壁ＰＣ板１は、既存擁壁１３を補強するための一つの手段として、該既存擁壁１３の前面に設置する構成も可能であることは言うまでもない。
【実施例２】
【００４６】  而して、実施例２に於いても、本発明の重要な構成要素は、前記図２に示す親杭９と埋め込み擁壁を構成する擁壁ＰＣ板１ａ、１ｂ、１ｃの関係であり、図２は、既存擁壁の背面側、即ち、宅地側の地中８に予め親杭９ａ、９ｂ、９ｃを並列して打設しておき、該親杭９ａ、９ｂ、９ｃにはガイド用Ｈ型鋼１０ａ、１０ｂ、１０ｃ立設されている。親杭９ａ、９ｂ、９ｃの杭頭１１ａ、１１ｂ、１１ｃは、その位置を場合によってはハツリ等で調整（主に高さ調整）し、上部に立設したガイド用Ｈ型鋼１０ａ、１０ｂ、１０ｃにガイドされて夫々貫通穴２ａ、２ｂ、２ｃを有した擁壁ＰＣ板１ａ、１ｂ、１ｃが設置される。【００４７】  前記親杭９ａ、９ｂ、９ｃの杭頭１１ａ、１１ｂ、１１ｃ上に設置された夫々の擁壁１ａ、１ｂ、１ｃはガイド用Ｈ型鋼１０ａ、１０ｂ、１０ｃがゆとりを持って貫通している貫通穴２ａ、２ｂ、２ｃに夫々コンクリートを打設して、親杭９ａ、９ｂ、９ｃと擁壁１ａ、１ｂ、１ｃを固着支持する支持支柱１２ａ、１２ｂ、１２ｃを構成する。【００４８】  斯くして、本発明の実施例２は、図８に於いて説明した既存擁壁５１ａを補強するものであり、図５及び図６は、実施例２の施工手順説明図である。【００４９】  図５（Ａ）乃至（Ｇ）において、１は埋め込み擁壁を構成する擁壁ＰＣ板、２は擁壁ＰＣ板１に設けられた貫通穴、５は施工用デーハ、９は親杭、１０はガイド用Ｈ型鋼、１１は杭頭、１２は支持用支柱、１４は下部基台、２３は上部基台、２４は撤去擁壁、１３は補強する既存擁壁を夫々示している。【００５０】  図５（Ａ）は、既存擁壁１３と撤去擁壁２４の背面側、即ち、宅地１８側に図２にて示したように親杭９を打設して、該親杭９にガイド用Ｈ型鋼１０を立設する。【００５１】  図５（Ｂ）は、既存擁壁１３の上部を掘削して、前記撤去擁壁２４を撤去した状態を示している。図５（Ｃ）は、既存擁壁１３の背面にあたる宅地１８をなおも掘削し、親杭９の杭頭１１の位置調整を行うと共に擁壁ＰＣ板１を設置する準備をする。埋め込み擁壁を構成する擁壁ＰＣ板１は重機で楊重され、擁壁ＰＣ板１の貫通穴２にガイド用Ｈ型鋼１０が挿入して親杭９の杭頭１１上に擁壁ＰＣ板１が、図５（Ｄ）如く設置される。【００５２】  図５（Ｅ）は、埋め込み擁壁を構成する擁壁ＰＣ板１を埋め戻し土２２で埋め戻し、図５（Ｆ）でガイド用Ｈ型鋼１０が貫通する擁壁ＰＣ板１の貫通穴２にコンクリートを打設して、擁壁ＰＣ板１を親杭９に固着一体化すると同時に、該擁壁ＰＣ板１上部にコ型のアンカーウェイト１９を鉄筋コンクリート製にて製作する。【００５３】  而して、コ型のアンカーウェイト１９は、前記埋め込み擁壁の擁壁ＰＣ板１ａ、１ｂ、１ｃ・・・の天端部を支持用支柱１２ａ、１２ｂ、１２ｃ・・・間で頭繋ぎする役割の他、該アンカーウェイト１９のＬ型縁部２０にて前記既存擁壁１３の上部廻り縁部２１を冠着することで既存擁壁１３の補強を行うものである。【００５４】  図５（Ｇ）は、コ型アンカーウェイト１９の上面で撤去された撤去擁壁２４の位置に立上がり壁２５を設置すると共に、該立上がり壁２５の背面に重機で楊重した埋め込み擁壁を構成する擁壁ＰＣ板１を設置する。そして、擁壁ＰＣ板１は、擁壁ＰＣ板１の貫通穴２にガイド用Ｈ型鋼１０が挿入して図５（Ｇ）の想像線が示す如く構築される。【００５５】  図６は、前記擁壁ＰＣ板１の貫通穴２にコンクリートを打設して、支持用支柱１２を作り、該支持用支柱１２は親杭９と埋め込み擁壁を構成する擁壁ＰＣ板１を一体化している。尚、２２は埋め戻し土を示し、図６は、既存擁壁１３を補強すると共に、撤去擁壁２４の盛り土高さを立上がり壁２５にて確保した。【００５６】  斯くして、実施例２は、上記埋め込み擁壁を構成する長方形の擁壁ＰＣ板１と該擁壁ＰＣ板を支持する親杭９と支持用支柱１２によりなり、補強する既存擁壁１３の背面側に前記ガイド用Ｈ型鋼１０を立設した親杭９を複数本並列して打ち込み、該既存擁壁１３の背面側の土を除いて前記親杭９の杭頭１１位置を調整し、該親杭９の杭頭１１上にガイド用Ｈ型鋼１０が芯材となる支持用支柱１２により支持された埋め込み擁壁１（擁壁ＰＣ板）を設置して既存擁壁１３の背面内部側に既存擁壁１３と重複する埋め込み擁壁１を構築するものである。【００５７】  そして、前記埋め込み擁壁１の天端部には各支持支柱１２間を頭繋ぎする構成のアンカーウェイト部材を設け、該アンカーウェイト部材のＬ型縁部にて前記既存擁壁の上部廻り縁部を冠着することで既存擁壁の補強を行うものである。【００５８】  また、本発明は、撤去する上部既存擁壁、及び補強する下部既存擁壁の背面側にガイド用Ｈ型鋼を立設した親杭を複数本並列して打ち込み、該上部既存擁壁と下部既存擁壁の背面側の土を除いて前記親杭の杭頭位置を調整し、該親杭の杭頭上にガイド用Ｈ型鋼が芯材となる支柱により支持された埋め込み擁壁（擁壁ＰＣ板）を構築し、該埋め込み擁壁の天端部には前記各支柱間を頭繋ぎする構成のアンカーウェイト１９部材を設けるものである。【００５９】  そして、前記アンカーウェイト１９部材のＬ型縁部２０にて下部既存擁壁１３の上部廻る縁部２１を冠着することで既存擁壁１３の補強を行うもので、同時に、該アンカーウェイト１９部材の上面にはガイド用Ｈ型鋼１０が芯材となる支持用支柱１２により支持される埋め込み擁壁１を再度積層して前記撤去された撤去擁壁２４の高さを補い、且つ撤去擁壁２４の代わりとなる立上がり壁２５を設けた構造の擁壁補強構造を提供するもので、下部既存擁壁１３、及び撤去擁壁２４の代わりとなる立上がり壁２５の背面内部側には、埋め込み擁壁１が新たに重複した形状で設けられ、既存擁壁２４、並びに立上がり壁２５を土圧から擁護するものである。
【符号の説明】
【００６０】１  １ａ、１ｂ、１ｃ  埋め込み擁壁を構成する擁壁ＰＣ板
２  ２ａ、２ｂ、２ｃ  貫通穴
３  くの字形状
４  製作用デーハ
５  施工用デーハ
６  ガイドピン
７  水切穴用切り欠き部
８  地中
９  ９ａ、９ｂ、９ｃ  親杭
１０  １０ａ、１０ｂ、１０ｃ  ガイド用Ｈ型鋼
１１  １１ａ、１１ｂ、１１ｃ  杭頭
１２  １２ａ、１２ｂ、１２ｃ  支持用支柱
１３  既存擁壁
１４  下部基台
１５  道路面
１６  裏込めコンクリート
１７  天端
１８  宅地
１９  アンカーウェイト
２０  Ｌ型縁部
２１  上部廻り縁部
２２  埋め戻し土
２３  上部基台
２４  撤去擁壁
２５  立上がり壁
５０  道路
５１  ５１ａ、５１ｂ  擁壁
５２ａ、５２ｂ、５２ｃ・・・  擁壁ブロック
５３  基台
５４  裏込め土
５５  裏込め石
５６  裏込めコンクリート
５７  宅地
５８  水抜き穴
５９  天端
６０  大矢石
６１  間知石
６２  下部基台
６３  上部基台
【図１】
2012026250.tif 000003
【図２】
2012026250.tif 000004
【図３】
2012026250.tif 000005
【図４】
2012026250.tif 000006
【図５】
2012026250.tif 000007
【図５】
2012026250.tif 000008
【図５】
2012026250.tif 000009
【図５】
2012026250.tif 000010
【図６】
2012026250.tif 000011
【図７】
2012026250.tif 000012
【図８】
2012026250.tif 000013
【手続補正書】
【提出日】平成22年9月21日(2010.9.21)
【手続補正１】
【補正対象書類名】明細書
【補正対象項目名】００２４
【補正方法】変更
【補正の内容】
【００２４】
【図１】（Ａ）本発明に使用される埋め込み用擁壁ＰＣ板の形状を示す平面図である。          （Ｂ）本発明に使用される埋め込み用擁壁ＰＣ板の形状を示す正面図である。
【図２】図１に示す埋め込み用擁壁ＰＣ板の支持方法を示す斜視説明図である。
【図３】（Ａ）（Ｂ）本発明の実施例１を示す施工手順説明図である。
【図４】本発明の実施例１を説明する断面図である。
【図５】（Ａ）（Ｂ）（Ｃ）（Ｄ）（Ｅ）（Ｆ）（Ｇ）本発明の実施例２を示す施工手順説明図である。
【図６】本発明の実施例２を説明する要部断面斜視図である。
【図７】本発明にて補強する既存擁壁の形状例を示す説明図である。
【図８】本発明にて補強する既存擁壁の形状例を示す他の説明図である。
【手続補正２】
【補正対象書類名】図面
【補正対象項目名】全図
【補正方法】変更
【補正の内容】
【図１】
2012026250.tif 000014
【図２】
2012026250.tif 000015
【図３】
2012026250.tif 000016
【図４】
2012026250.tif 000017
【図５−１】
2012026250.tif 000018
【図５−２】
2012026250.tif 000019
【図５−３】
2012026250.tif 000020
【図５−４】
2012026250.tif 000021
【図６】
2012026250.tif 000022
【図７】
2012026250.tif 000023
【図８】
2012026250.tif 000024